(57)【要約】【課題】処理負荷の増大に伴う通信障害の発生を回避可能な通信接続サーバ及び通信接続方法を提供すること。【解決手段】Ｐ−ＣＳＣＦ４は、移動通信端末を、この移動通信端末の通信を制御するＳ−ＣＳＣＦに通信接続する通信接続サーバである。カウント部４１は、複数のＳ−ＣＳＣＦのそれぞれに位置登録された移動通信端末の数をこのＳ−ＣＳＣＦ毎にカウントし、位置登録要求受信部４２は、Ｓ−ＣＳＣＦに対する位置登録要求を移動通信端末から受信し、通信制御サーバ特定部４３は、位置登録要求受信部４２により上記位置登録要求が受信されると、上記位置登録された移動通信端末の数の最も少ない一のＳ−ＣＳＣＦを特定し、位置登録要求送信部４４は、上記位置登録要求を送信した移動通信端末の位置登録を行わせる旨の指示を、通信制御サーバ特定部４３により特定された一のＳ−ＣＳＣＦに送信する。【選択図】図５
2008244849.tif 000002
【特許請求の範囲】
【請求項１】
移動通信端末を、該移動通信端末の通信を制御する通信制御サーバに通信接続する通信接続サーバであって、
複数の通信制御サーバのそれぞれに位置登録された移動通信端末の数を該通信制御サーバ毎にカウントするカウント手段と、
前記通信制御サーバに対する位置登録要求を移動通信端末から受信する位置登録要求受信手段と、
前記位置登録要求受信手段により前記位置登録要求が受信されると、前記位置登録された移動通信端末の数の最も少ない一の通信制御サーバを特定する通信制御サーバ特定手段と、
前記位置登録要求を送信した移動通信端末の位置登録を行わせる旨の指示を、前記通信制御サーバ特定手段により特定された一の通信制御サーバに送信する位置登録要求送信手段と
を備える、ことを特徴とする通信接続サーバ。
【請求項２】
前記通信制御サーバ特定手段により特定された通信制御サーバの輻輳を判定する輻輳判定手段を更に備え、
前記通信制御サーバ特定手段は、
特定した通信制御サーバが輻輳していると前記輻輳判定手段によって判定された場合に該輻輳している通信制御サーバ以外の他の通信制御サーバのうち位置登録された移動通信端末の数の最も少ない一の通信制御サーバを特定する、ことを特徴とする請求項１に記載の通信接続サーバ。
【請求項３】
移動通信端末の通信を制御する通信制御サーバと、複数の通信制御サーバのそれぞれに位置登録された移動通信端末の数を該通信制御サーバ毎にカウントし該移動通信端末を該通信制御サーバに通信接続する通信接続サーバと、を用いた通信接続方法であって、
前記通信制御サーバに対する位置登録要求を前記移動通信端末から受信する位置登録要求受信ステップと、
前記位置登録要求受信ステップにおいて前記位置登録要求が受信されると、前記位置登録された移動通信端末の数の最も少ない一の通信制御サーバを特定する通信制御サーバ特定ステップと、
前記位置登録要求を送信した移動通信端末の位置登録を行わせる旨の指示を、前記通信制御サーバ特定ステップにおいて特定された一の通信制御サーバに送信する位置登録要求送信ステップと
を有する、ことを特徴とする通信接続方法。
【発明の詳細な説明】
【技術分野】
【０００１】
本発明は、通信接続サーバ及び通信接続方法に関する。
【背景技術】
【０００２】
近時、ＩＭＳ（IP MultimediaSubsystem）と称するネットワーク技術が開発されている。ＩＭＳネットワークは、ＳＩＰメッセージ（SIP：Session Initiation Protocol）を送受信する複数のＳＩＰサーバやＨＳＳ（Home Subscriber Server）等を備える。ＳＩＰサーバは、移動通信端末の通信制御を行う通信制御サーバとしてのＳ−ＣＳＣＦ（Serving-Call/Session Control Function）や、移動通信端末をＳ−ＣＳＣＦに通信接続する通信接続サーバとしてのＰ−ＣＳＣＦ（Proxy-Call/SessionControl Function）がある。このようなＩＭＳネットワークに係る技術は、例えば、特許文献１等に記載されている。
【特許文献１】特開２００６−１１５４５３号公報
【発明の開示】
【発明が解決しようとする課題】
【０００３】
ところで、Ｓ−ＣＳＣＦにはＰ−ＣＳＣＦを介して複数の移動通信端末がアクセスする。このため、移動通信端末のアクセスが特定のＳ−ＣＳＣＦに集中することにより、このＳ−ＣＳＣＦの処理負荷が増大し、通信障害が生じる虞がある。
【０００４】
そこで本発明の目的は、処理負荷の増大に伴う通信障害の発生を回避可能な通信接続サーバ及び通信接続方法を提供することである。
【課題を解決するための手段】
【０００５】
本発明は、移動通信端末を、この移動通信端末の通信を制御する通信制御サーバに通信接続する通信接続サーバであって、複数の通信制御サーバのそれぞれに位置登録された移動通信端末の数をこの通信制御サーバ毎にカウントするカウント手段と、上記通信制御サーバに対する位置登録要求を移動通信端末から受信する位置登録要求受信手段と、上記位置登録要求受信手段により上記位置登録要求が受信されると、上記位置登録された移動通信端末の数の最も少ない一の通信制御サーバを特定する通信制御サーバ特定手段と、上記位置登録要求を送信した移動通信端末の位置登録を行わせる旨の指示を、上記通信制御サーバ特定手段により特定された一の通信制御サーバに送信する位置登録要求送信手段とを備える、ことを特徴とする。
【０００６】
また、本発明は、移動通信端末の通信を制御する通信制御サーバと、複数の通信制御サーバのそれぞれに位置登録された移動通信端末の数をこの通信制御サーバ毎にカウントしこの移動通信端末をこの通信制御サーバに通信接続する通信接続サーバと、を用いた通信接続方法であって、上記通信制御サーバに対する位置登録要求を上記移動通信端末から受信する位置登録要求受信ステップと、上記位置登録要求受信ステップにおいて上記位置登録要求が受信されると、上記位置登録された移動通信端末の数の最も少ない一の通信制御サーバを特定する通信制御サーバ特定ステップと、上記位置登録要求を送信した移動通信端末の位置登録を行わせる旨の指示を、上記通信制御サーバ特定ステップにおいて特定された一の通信制御サーバに送信する位置登録要求送信ステップとを有する、ことを特徴とする。
【０００７】
従って、移動通信端末からの位置登録要求に応じて、移動通信端末の位置登録数の最も少ない通信制御サーバが特定され、この特定された通信制御サーバに位置登録が行われるので、通信制御サーバの処理負荷が分散される。このため、特定の通信制御サーバに処理負荷が集中することによる通信障害の発生が回避できる。
【０００８】
本発明では、上記通信制御サーバ特定手段により特定された通信制御サーバの輻輳を判定する輻輳判定手段を更に備え、上記通信制御サーバ特定手段は、特定した通信制御サーバが輻輳していると上記輻輳判定手段によって判定された場合にこの輻輳している通信制御サーバ以外の他の通信制御サーバのうち位置登録された移動通信端末の数の最も少ない一の通信制御サーバを特定するのが好ましい。
【０００９】
このように、位置登録を行う通信制御サーバが特定されると、この特定された通信制御サーバの輻輳の有無が判定される。従って、輻輳しておらず且つ位置登録された移動通信端末の数が最も少ない通信制御サーバに位置登録が行われるので、通信制御サーバの処理負荷がより確実に分散される。
【発明の効果】
【００１０】
本発明によれば、処理負荷の増大に伴う通信障害の発生を回避可能な通信接続サーバ及び通信接続方法が提供できる。
【発明を実施するための最良の形態】
【００１１】
以下、図面を参照して、本発明に係る好適な実施形態について詳細に説明する。なお、図面の説明において、可能な場合には、同一要素には同一符号を付し、重複する説明を省略する。
【００１２】
図１に示すように、通信システム１は、移動通信端末２ａ、移動通信端末２ｂ、Ｐ−ＣＳＣＦ４（通信接続サーバ）、Ｓ−ＣＳＣＦ（Ａ）６１（通信制御サーバ）、Ｓ−ＣＳＣＦ（Ｂ）６２（通信制御サーバ）及びＨＳＳ８（HSS：Home Subscriber Server）（通信管理サーバ）等を備えるＩＭＳシステムである。移動通信端末２ａ及び移動通信端末２ｂはＰ−ＣＳＣＦ４と無線通信を行い、Ｐ−ＣＳＣＦ４は、Ｓ−ＣＳＣＦ（Ａ）６１及びＳ−ＣＳＣＦ（Ｂ）６２と有線通信（又は無線通信）を行い、ＨＳＳ８は、Ｓ−ＣＳＣＦ（Ａ）６１及びＳ−ＣＳＣＦ（Ｂ）６２と有線通信（又は無線通信）を行う。
【００１３】
なお、通信システム１の有する移動通信端末２ａ及び移動通信端末２ｂ等の移動通信端末の数、Ｐ−ＣＳＣＦ４等のＰ−ＣＳＣＦの数、Ｓ−ＣＳＣＦ（Ａ）６１及びＳ−ＣＳＣＦ（Ｂ）６２等のＳ−ＣＳＣＦの数、ＨＳＳ８等のＨＳＳの数は、図１に示すものに限らない。また、移動通信端末２ａと移動通信端末２ｂとは同様の構成を有し、また、Ｓ−ＣＳＣＦ（Ａ）６１とＳ−ＣＳＣＦ（Ｂ）６２とは同様の構成を有するので、以下、主に移動通信端末２ａ及びＳ−ＣＳＣＦ（Ａ）６１を用いて説明する。
【００１４】
移動通信端末２ａは、携帯電話等の移動可能な通信端末である。移動通信端末２ａは、Ｐ−ＣＳＣＦ４を介してＳ−ＣＳＣＦ（Ａ）６１等のＳ−ＣＳＣＦに位置登録を行う。Ｐ−ＣＳＣＦ４は、移動通信端末２ａ等の移動通信端末をＳ−ＣＳＣＦ（Ａ）６１等のＳ−ＣＳＣＦに通信接続するＳＩＰサーバである。Ｐ−ＣＳＣＦ４は、Ｓ−ＣＳＣＦ（Ａ）６１等のＳ−ＣＳＣＦにより位置登録され通信制御される移動通信端末２ａ等の移動通信端末の加入者情報を有する。Ｐ−ＣＳＣＦ４の有する加入者情報は、移動通信端末２ａ等の移動通信端末の電話番号と、移動通信端末２ａ等の移動通信端末に対し位置登録及び通信制御を行うＳ−ＣＳＣＦ（Ａ）６１等のＳ−ＣＳＣＦのアドレスとが関連付けられている（図４（Ａ）に示す加入者情報１２）。
【００１５】
Ｓ−ＣＳＣＦ（Ａ）６１は、移動通信端末２ａ等の移動通信端末の位置登録を行うとともに、移動通信端末２ａ等の移動通信端末の通信を制御するＳＩＰサーバである。Ｓ−ＣＳＣＦ（Ａ）６１は、位置登録を行い通信制御する移動通信端末２ａ等の移動通信端末の加入者情報を有する。Ｓ−ＣＳＣＦ（Ａ）６１の有する加入者情報は、移動通信端末２ａ等の移動通信端末の電話番号と、この移動通信端末２ａ等の移動通信端末をＳ−ＣＳＣＦ（Ａ）６１に通信接続するＰ−ＣＳＣＦ４のアドレスとが関連付けられている。ＨＳＳ８は、Ｓ−ＣＳＣＦ（Ａ）６１等のＳ−ＣＳＣＦを管理する。ＨＳＳ８は、Ｓ−ＣＳＣＦ（Ａ）６１等のＳ−ＣＳＣＦが通信制御している移動通信端末２ａ等の移動通信端末の加入者情報を有する。ＨＳＳ８の有する加入者情報は、移動通信端末２ａ等の移動通信端末の電話番号と、この移動通信端末２ａ等の移動通信端末に対し位置登録及び通信制御を行うＳ−ＣＳＣＦ（Ａ）６１等のＳ−ＣＳＣＦのアドレスとが関連付けられている。
【００１６】
次に、図２及び図３を参照して、Ｐ−ＣＳＣＦ４の構成を説明する。まず、図２を参照してＰ−ＣＳＣＦ４の構成を説明する。Ｐ−ＣＳＣＦ４は、物理的には、ＣＰＵ４ａ、ＲＡＭ４ｂ、ＲＯＭ４ｃ、入力装置４ｄ、出力装置４ｅ、通信装置４ｆ及び記録装置４ｇを有しており、これらはバス４ｈに接続されている。ＣＰＵ４ａは、ＲＯＭ４ｃ等の内蔵メモリに格納された所定のコンピュータソフトウェアをＲＡＭ４ｂにロードして実行することにより、Ｐ−ＣＳＣＦ４を統括的に制御する。
【００１７】
入力装置４ｄは、データ入力用デバイスであり、入力されたデータをＣＰＵ４ａに出力する。出力装置４ｅは、ＬＣＤ等の表示装置であり、ＣＰＵ４ａから入力されたデータをＬＣＤ等に表示する。通信装置４ｆは、移動通信端末２ａ等の移動通信端末やＳ−ＣＳＣＦ（Ａ）６１等のＳ−ＣＳＣＦと通信を行うためのインターフェイスを有する。記録装置４ｇは、ＣＰＵ４ａの実行可能なコンピュータソフトウェアを格納する。記録装置４ｇは、図４（ａ）に示す加入者情報１２と図４（ｂ）に示す端末登録情報１４とを格納する。
【００１８】
ここで、図４を参照して、加入者情報１２と端末登録情報１４とを説明する。図４（Ａ）に示すように、加入者情報１２は、電話番号情報１２ａとＳ−ＣＳＣＦアドレス情報１２ｂとを有する。加入者情報１２は、電話番号情報１２ａに示されている移動通信端末２ａ等の移動通信端末の電話番号と、Ｓ−ＣＳＣＦアドレス情報１２ｂに示されておりこの移動通信端末２ａ等の移動通信端末に対し位置登録及び通信制御を行うＳ−ＣＳＣＦ（Ａ）６１等のＳ−ＣＳＣＦのアドレスとが関連付けられている。例えば、加入者情報１２には、移動通信端末２ａの電話番号と、この移動通信端末２ａに対し位置登録及び通信制御を行うＳ−ＣＳＣＦ（Ａ）６１のアドレスとが関連付けられており、移動通信端末２ｂの電話番号と、この移動通信端末２ｂに対し位置登録及び通信制御を行うＳ−ＣＳＣＦ（Ｂ）６２のアドレスとが関連付けられている。
【００１９】
また、図４（Ｂ）に示すように、端末登録情報１４は、Ｓ−ＣＳＣＦ情報１４ａと位置登録済み端末数情報１４ｂとを有する。端末登録情報１４は、Ｓ−ＣＳＣＦ情報１４ａに示すＳ−ＣＳＣＦ（Ａ）６１等のＳ−ＣＳＣＦのアドレスと、位置登録済み端末数情報１４ｂに示されておりこのＳ−ＣＳＣＦ（Ａ）６１等のＳ−ＣＳＣＦによって位置登録された移動通信端末２ａ等の移動通信端末の数とが関連付けられている。例えば、端末登録情報１４には、Ｓ−ＣＳＣＦ（Ａ）６１のアドレスと、このＳ−ＣＳＣＦ（Ａ）６１によって位置登録された移動通信端末２ａ等の移動通信端末の数「３」とが関連付けられており、更に、Ｓ−ＣＳＣＦ（Ｂ）６２のアドレスと、このＳ−ＣＳＣＦ（Ｂ）６２によって位置登録された移動通信端末２ａ等の移動通信端末の数「２」とが関連付けられている。
【００２０】
図３を参照してＰ−ＣＳＣＦ４の構成の説明を続ける。ＣＰＵ４ａは、図３に示す複数の機能を実現する。すなわち、Ｐ−ＣＳＣＦ４は、機能的には、カウント部４１（カウント手段）、位置登録要求受信部４２（位置登録要求受信手段）、通信制御サーバ特定部４３（通信制御サーバ特定手段）、位置登録要求送信部４４（位置登録要求送信手段）及び輻輳判定部４５（輻輳判定手段）を有する。カウント部４１〜輻輳判定部４５は、ＣＰＵ４ａがコンピュータソフトウェアを実行し、図２に示すＰ−ＣＳＣＦ４の各構成部を動作させることにより実現される機能である。特に、ＣＰＵ４ａは、カウント部４１〜輻輳判定部４５を用いて、図５に示すＰ−ＣＳＣＦ４の行う処理を実行する。
【００２１】
カウント部４１は、Ｓ−ＣＳＣＦ（Ａ）６１等の複数のＳ−ＣＳＣＦのそれぞれに位置登録された移動通信端末２ａ等の移動通信端末の数をＳ−ＣＳＣＦ毎にカウントし、このカウント結果を図４（Ｂ）に示す端末登録情報１４の位置登録済み端末数情報１４ｂとして記録装置４ｇに記録する。位置登録要求受信部４２は、Ｓ−ＣＳＣＦ（Ａ）６１等のＳ−ＣＳＣＦに対する位置登録要求を、移動通信端末２ａ等の移動通信端末から受信する。
【００２２】
通信制御サーバ特定部４３は、位置登録要求受信部４２により位置登録要求が受信されると、図４（Ｂ）に示す端末登録情報１４の位置登録済み端末数情報１４ｂの数の最も少ない一のＳ−ＣＳＣＦを特定する。位置登録要求送信部４４は、位置登録要求を送信した移動通信端末２ａ等の移動通信端末の位置登録を通信制御サーバ特定部４３により特定された一のＳ−ＣＳＣＦに行わせるための指示を、この一のＳ−ＣＳＣＦに送信する。輻輳判定部４５は、通信制御サーバ特定部４３により特定されたＳ−ＣＳＣＦ（Ａ）６１等のＳ−ＣＳＣＦが輻輳しているか否かを判定する。なお、通信制御サーバ特定部４３は、特定したＳ−ＣＳＣＦが輻輳していると輻輳判定部４５によって判定された場合にこの輻輳しているＳ−ＣＳＣＦ以外の他のＳ−ＣＳＣＦのうち図４（Ｂ）に示す端末登録情報１４の位置登録済み端末数情報１４ｂの数の最も少ない一のＳ−ＣＳＣＦを特定する。
【００２３】
次に、図５を参照して、通信システム１の動作を説明する。まず、移動通信端末２ａは、Ｐ−ＣＳＣＦ４に対し位置登録要求を送信する（ステップＳ１）。移動通信端末２ａからの位置登録要求がＰ−ＣＳＣＦ４の位置登録要求受信部４２により受信されると（ステップＳ２）、Ｐ−ＣＳＣＦ４の通信制御サーバ特定部４３は、図４（Ｂ）に示す端末登録情報１４の位置登録済み端末数情報１４ｂの数の最も少ない一のＳ−ＣＳＣＦを特定する（ステップＳ３）。
【００２４】
ステップＳ３又は後述のステップＳ５の後、Ｐ−ＣＳＣＦ４の輻輳判定部４５は、ステップＳ３又はステップＳ５において通信制御サーバ特定部４３により特定された一のＳ−ＣＳＣＦが輻輳しているか否かを判定する（ステップＳ４）。なお、Ｐ−ＣＳＣＦ４は、Ｓ−ＣＳＣＦから送信されるＳ−ＣＳＣＦの輻輳を示す情報に基づいてＳ−ＣＳＣＦが輻輳しているか否かを判定してもよいし、Ｓ−ＣＳＣＦにアクセスしてＳ−ＣＳＣＦの輻輳を直接確認することによってＳ−ＣＳＣＦが輻輳しているか否かを判定してもよい。
【００２５】
Ｐ−ＣＳＣＦ４の通信制御サーバ特定部４３は、ステップＳ３又はステップＳ５において通信制御サーバ特定部４３により特定された一のＳ−ＣＳＣＦが輻輳しているとステップＳ４において輻輳判定部４５により判定された場合に（ステップＳ４；Ｙｅｓ）、この輻輳していると判定されたＳ−ＣＳＣＦ以外の他のＳ−ＣＳＣＦのうち、図４（Ｂ）に示す端末登録情報１４の位置登録済み端末数情報１４ｂの数の最も少ない一のＳ−ＣＳＣＦを特定する（ステップＳ５）。ステップＳ５において特定されたＳ−ＣＳＣＦも、輻輳しているか否かがステップＳ４において輻輳判定部４５により判定される。
【００２６】
Ｐ−ＣＳＣＦ４の通信制御サーバ特定部４３は、ステップＳ３又はステップＳ５において通信制御サーバ特定部４３により特定された一のＳ−ＣＳＣＦ（Ｓ−ＣＳＣＦ（Ａ）６１とする）が輻輳していないとステップＳ４において輻輳判定部４５により判定された場合に（ステップＳ４；Ｎｏ）、Ｐ−ＣＳＣＦ４、Ｓ−ＣＳＣＦ（Ａ）６１及びＨＳＳ８によって位置登録処理が行われる（ステップＳ６）。
【００２７】
すなわち、ステップＳ６において、まず、Ｐ−ＣＳＣＦ４の位置登録要求送信部４４は、ステップＳ１において位置登録要求を送信した移動通信端末２ａの位置登録を行わせる旨の指示を、移動通信端末２ａの電話番号及びＰ−ＣＳＣＦ４のアドレスと共に、ステップＳ４において輻輳していないと輻輳判定部４５により判定されたＳ−ＣＳＣＦ（Ａ）６１に送信する。この時、Ｐ−ＣＳＣＦ４は、移動通信端末２ａの電話番号と、Ｓ−ＣＳＣＦ（Ａ）６１のアドレスとを関連付けた移動通信端末２ａの加入者情報（図４（Ａ）に示す加入者情報１２）を作成し、記録装置４ｇに格納する。
【００２８】
そして、ステップＳ６において、Ｓ−ＣＳＣＦ（Ａ）６１は、この位置登録要求送信部４４からの指示に応じて、移動通信端末２ａの電話番号とＰ−ＣＳＣＦ４のアドレスとを関連付けた移動通信端末２ａの加入者情報を作成する。そして、ステップＳ６において、Ｓ−ＣＳＣＦ（Ａ）６１は、この位置登録された移動通信端末２ａの電話番号と移動通信端末２ａの位置登録を行ったＳ−ＣＳＣＦ（Ａ）６１のアドレスとをＨＳＳ８に送信し、ＨＳＳ８は、Ｓ−ＣＳＣＦ（Ａ）６１から送信された移動通信端末２ａの電話番号とＳ−ＣＳＣＦ（Ａ）６１のアドレスとを関連付けた移動通信端末２ａの加入者情報を作成してメモリに記録する。ＨＳＳ８は、移動通信端末２ａの加入者情報をメモリに記録したことにより移動通信端末２ａの位置登録が完了した旨を示す位置登録応答をＳ−ＣＳＣＦ（Ａ）６１に通知し、Ｓ−ＣＳＣＦ（Ａ）６１は、この位置登録応答をＨＳＳ８から受けるとＰ−ＣＳＣＦ４に通知し、Ｐ−ＣＳＣＦ４は、この位置登録応答をＳ−ＣＳＣＦ（Ａ）６１から受けると移動通信端末２ａに通知する（ステップＳ７）。
【００２９】
次に、通信システム１の作用・効果を説明する。実施形態に係る通信システム１の備えるＰ−ＣＳＣＦ４は、移動通信端末２ａ（移動通信端末２ａや移動通信端末２ｂ）を、この移動通信端末の通信を制御するＳ−ＣＳＣＦ（Ｓ−ＣＳＣＦ（Ａ）６１やＳ−ＣＳＣＦ（Ｂ）６２）に通信接続する通信接続サーバである。Ｐ−ＣＳＣＦ４は、カウント部４１、位置登録要求受信部４２、通信制御サーバ特定部４３及び位置登録要求送信部４４を備える。カウント部４１は、複数のＳ−ＣＳＣＦのそれぞれに位置登録された移動通信端末の数をＳ−ＣＳＣＦ毎にカウントする。位置登録要求受信部４２は、Ｓ−ＣＳＣＦ対する位置登録要求を移動通信端末から受信する。通信制御サーバ特定部４３は、位置登録要求受信部４２により上記位置登録要求が受信されると、上記位置登録された移動通信端末の数の最も少ない一のＳ−ＣＳＣＦを特定する。位置登録要求送信部４４は、上記位置登録要求を送信した移動通信端末の位置登録を行わせる旨の指示を、通信制御サーバ特定部４３により特定された一のＳ−ＣＳＣＦに送信する。
【００３０】
従って、移動通信端末からの位置登録要求に応じて、移動通信端末の位置登録数の最も少ないＳ−ＣＳＣＦが特定され、この特定されたＳ−ＣＳＣＦに位置登録が行われるので、Ｓ−ＣＳＣＦの処理負荷が分散される。このため、特定のＳ−ＣＳＣＦに処理負荷が集中することによる通信障害の発生が回避できる。
【００３１】
また、Ｐ−ＣＳＣＦ４は、通信制御サーバ特定部４３により特定されたＳ−ＣＳＣＦの輻輳を判定する輻輳判定部４５を更に備えるのが好ましい。輻輳判定部４５は、特定したＳ−ＣＳＣＦが輻輳していると輻輳判定部４５によって判定された場合にこの輻輳しているＳ−ＣＳＣＦ以外の他のＳ−ＣＳＣＦのうち位置登録された移動通信端末の数の最も少ない一のＳ−ＣＳＣＦを特定する。
【００３２】
このように、位置登録を行うＳ−ＣＳＣＦが特定されると、この特定されたＳ−ＣＳＣＦの輻輳の有無が判定される。従って、輻輳しておらず且つ位置登録された移動通信端末の数が最も少ないＳ−ＣＳＣＦに位置登録が行われるので、Ｓ−ＣＳＣＦの処理負荷がより確実に分散される。
【図面の簡単な説明】
【００３３】
【図１】実施形態に係る通信システムの構成を示す図である。
【図２】実施形態に係るＰ−ＣＳＣＦの構成を示す図である。
【図３】実施形態に係るＰ−ＣＳＣＦの構成を示す図である。
【図４】実施形態に係るＰ−ＣＳＣＦの有する加入者情報及び端末登録情報を例示する図である。
【図５】実施形態に係る通信システムの動作を説明するためのシーケンスである。
【符号の説明】
【００３４】
１…通信システム、１２…加入者情報、１２ａ…電話番号情報、１２ｂ…Ｓ−ＣＳＣＦアドレス情報、１４…端末登録情報、１４ａ…Ｓ−ＣＳＣＦ情報、１４ｂ…位置登録済み端末数情報、２ａ，２ｂ…移動通信端末、４…Ｐ−ＣＳＣＦ、４ａ…ＣＰＵ、４ｂ…ＲＡＭ、４ｃ…ＲＯＭ、４ｄ…入力装置、４ｅ…出力装置、４ｆ…通信装置、４ｇ…記録装置、４ｈ…バス、４１…カウント部、４２…位置登録要求受信部、４３…通信制御サーバ特定部、４４…位置登録要求送信部、４５…輻輳判定部、６１…Ｓ−ＣＳＣＦ（Ａ）、６２…Ｓ−ＣＳＣＦ（Ｂ）、８…ＨＳＳ。
【図１】
2008244849.tif 000003
【図２】
2008244849.tif 000004
【図３】
2008244849.tif 000005
【図４】
2008244849.tif 000006
【図５】
2008244849.tif 000007